(57)【要約】【課題】レシピを容易に作成できるよう支援する。【解決手段】レシピ投稿支援サーバは、投稿者端末と通信する通信部と、通信部が投稿者端末から受信した投稿レシピを含むレシピ情報を記憶する記憶部と、通信部が投稿者端末から受信した料理画像に映る料理を識別する料理識別部と、料理識別部が識別した料理に関連するレシピ情報を記憶部から取得するレシピ情報取得部と、を備えるレシピ投稿支援サーバであって、通信部は、レシピ情報取得部が取得したレシピ情報を投稿者端末に送信し、当該送信されたレシピ情報に基づいて作成された投稿レシピを当該投稿者端末から受信する。【選択図】図１
2019185718.tif 000002
【特許請求の範囲】
【請求項１】
投稿者端末と通信する通信部と、
前記通信部が前記投稿者端末から受信した投稿レシピを含むレシピ情報を記憶する記憶部と、
前記通信部が前記投稿者端末から受信した料理画像に映る料理を識別する料理識別部と、
前記料理識別部が識別した料理に関連するレシピ情報を前記記憶部から取得するレシピ情報取得部と、を備えるレシピ投稿支援サーバであって、
前記通信部は、前記レシピ情報取得部が取得したレシピ情報を前記投稿者端末に送信し、当該送信されたレシピ情報に基づいて作成された投稿レシピを当該投稿者端末から受信する、レシピ投稿支援サーバ。
【請求項２】
前記通信部は、前記記憶部に記憶された前記投稿レシピを、ネットワークを介して配信する、請求項１に記載のレシピ投稿支援サーバ。
【請求項３】
前記料理画像は、投稿者が撮影した料理写真である、請求項１または請求項２に記載のレシピ投稿支援サーバ。
【請求項４】
前記料理画像は、投稿者が撮影した調理動画である、請求項１または請求項２に記載のレシピ投稿支援サーバ。
【請求項５】
前記料理識別部は、前記通信部が受信した前記料理画像から料理候補を推定し、前記推定した料理候補に対する前記投稿者端末からの情報に基づいて前記料理を識別する、請求項１から請求項４のいずれか一項に記載のレシピ投稿支援サーバ。
【請求項６】
前記レシピ情報取得部は、前記投稿者端末から投稿された前記投稿レシピの履歴を前記記憶部から取得する投稿レシピ履歴取得部を含み、
前記レシピ情報取得部は、前記取得した投稿レシピの履歴から抽出される投稿者の好みに基づいて前記識別された料理に関連するレシピ情報を取得する、請求項１から請求項５のいずれか一項に記載のレシピ投稿支援サーバ。
【請求項７】
前記レシピ情報取得部は、前記投稿者端末から投稿された前記投稿レシピの履歴を前記記憶部から取得する投稿レシピ履歴取得部を含み、
前記レシピ情報取得部は、前記識別された料理に関連するレシピ情報のうち、前記取得した投稿レシピの履歴に含まれない料理に関連する料理のレシピ情報を取得する、請求項１から請求項５のいずれか一項に記載のレシピ投稿支援サーバ。
【請求項８】
前記レシピ情報は、前記投稿レシピの雛型を含む、請求項１から請求項７のいずれか一項に記載のレシピ投稿支援サーバ。
【請求項９】
前記レシピ情報は、投稿者が編集可能に構成される、請求項１から請求項８のいずれか一項に記載のレシピ投稿支援サーバ。
【請求項１０】
前記レシピ情報は、調理手順、食材、調理器具のうちの少なくとも一つの情報を含む、請求項１から請求項９のいずれか一項に記載のレシピ投稿支援サーバ。
【請求項１１】
前記投稿レシピは、前記投稿者端末から送信された前記料理画像を含む、請求項１から請求項１０のいずれか一項に記載のレシピ投稿支援サーバ。
【請求項１２】
投稿者端末と通信するステップと、
前記投稿者端末から受信した投稿レシピを含むレシピ情報を記憶するステップと、
前記投稿者端末から受信した料理画像に映る料理を識別するステップと、
前記識別した料理のレシピ情報を前記記憶したレシピ情報から取得するステップと、
前記取得したレシピ情報を前記投稿者端末に送信し、当該送信されたレシピ情報に基づいて作成された投稿レシピを当該投稿者端末から受信するステップと、を備えるレシピ投稿支援方法。
【請求項１３】
請求項１２に記載のレシピ投稿支援方法をコンピュータに実行させるためのプログラム。
【請求項１４】
ネットワークを介して投稿者端末から送信される投稿レシピの作成を支援するレシピ投稿支援システムであって、
料理画像を取得する料理画像取得部と、
前記料理画像に映る料理を識別する料理識別部と、
前記投稿レシピを含むレシピ情報を記憶する記憶部と、
前記料理識別部が識別した料理のレシピ情報を前記記憶部から取得するレシピ情報取得部と、
前記レシピ情報取得部が取得したレシピ情報を前記投稿者端末に送信し、当該送信されたレシピ情報に基づいて作成された投稿レシピを当該投稿者端末から受信する通信部と、を備える、レシピ投稿支援システム。
【発明の詳細な説明】
【技術分野】
【０００１】
本開示は、レシピ投稿支援サーバ、レシピ投稿支援方法、レシピ投稿支援プログラムおよびレシピ投稿支援システムに関する。
【背景技術】
【０００２】
近年、スマートフォンなどの携帯端末の普及や、画像認識技術の向上に伴い、食材の撮影画像に基づいて、当該食材を利用した料理のレシピが容易に取得できるサービスが提供されている。例えば、特許文献１には、食材画像から自動的にレシピを作成する自動レシピ作成装置が開示されている。
【０００３】
その一方で、撮影した料理画像とともに、自作のレシピをインターネットなどのネットワークを介して公開する人が増えている。
【先行技術文献】
【特許文献】
【０００４】
【特許文献１】特開２０１０−６１３８２号公報
【発明の概要】
【発明が解決しようとする課題】
【０００５】
レシピ作成者は、調理手順や食材などを自身の記憶に頼ってレシピを作成することが多い。そのため、調理後にレシピを作成しようとすると、どのように調理したか忘れてしまう場合がある。
【０００６】
特許文献１に開示された装置では、調理前の食材を撮影した画像に基づいてレシピを作成することはできるが、調理後の料理を撮影した画像からレシピを作成することは困難である。したがって、レシピ作成者は、調理手順や食材の分量などを記憶して、レシピを作成することを調理中に意識しておく必要があり、調理後に気軽にレシピを作成することは容易ではない。
【０００７】
そこで、本開示は、このような事情に鑑み、レシピを容易に作成できるよう支援を行うことを目的とする。
【課題を解決するための手段】
【０００８】
上記目的を達成するため、本開示に係るレシピ投稿支援サーバは、投稿者端末と通信する通信部と、通信部が投稿者端末から受信した投稿レシピを含むレシピ情報を記憶する記憶部と、通信部が投稿者端末から受信した料理画像に映る料理を識別する料理識別部と、料理識別部が識別した料理に関連するレシピ情報を記憶部から取得するレシピ情報取得部と、を備え、通信部は、レシピ情報取得部が取得したレシピ情報を投稿者端末に送信し、当該送信されたレシピ情報に基づいて作成された投稿レシピを当該投稿者端末から受信する。
【０００９】
また、上記目的を達成するため、本開示に係るレシピ投稿支援方法は、投稿者端末と通信するステップと、投稿者端末から受信した投稿レシピを含むレシピ情報を記憶するステップと、投稿者端末から受信した料理画像に映る料理を識別するステップと、識別した料理のレシピ情報を記憶したレシピ情報から取得するステップと、取得したレシピ情報を投稿者端末に送信し、当該送信されたレシピ情報に基づいて作成された投稿レシピを当該投稿者端末から受信するステップと、を備える。
【００１０】
また、上記目的を達成するため、本開示に係るレシピ投稿支援プログラムは、上述のレシピ投稿支援方法をコンピュータに実行させる。
【００１１】
また、上記目的を達成するため、本開示に係るレシピ投稿支援システムは、ネットワークを介して投稿者端末から送信される投稿レシピの作成を支援するシステムであって、料理画像を取得する料理画像取得部と、料理画像に映る料理を識別する料理識別部と、投稿レシピを含むレシピ情報を記憶する記憶部と、料理識別部が識別した料理のレシピ情報を記憶部から取得するレシピ情報取得部と、レシピ情報取得部が取得したレシピ情報を投稿者端末に送信し、当該送信されたレシピ情報に基づいて作成された投稿レシピを当該投稿者端末から受信する通信部と、を備える。
【発明の効果】
【００１２】
本開示によれば、レシピを容易に作成することができる。
【図面の簡単な説明】
【００１３】
【図１】レシピ投稿支援システム１００の構成図である。
【図２】レシピ投稿支援システム１００における処理の流れを示すシーケンス図である。
【図３】料理画像を識別する処理を示すフローチャートである。
【図４】投稿者端末２０１に送信されるレシピ情報の一例を示す図である。
【図５】投稿者端末２０１に送信されるレシピ情報の一例を示す図である。
【図６】投稿者端末２０１に送信されるレシピ情報の一例を示す図である。
【図７】サーバ装置１０１のハードウェア構成を示すブロック図である。
【発明を実施するための形態】
【００１４】
以下、本開示の実施形態について図面を参照して説明する。実施形態を説明する全図において、共通の構成要素には同一の符号を付し、繰り返しの説明を省略する。なお、以下の実施形態は、特許請求の範囲に記載された本開示の内容を不当に限定するものではない。また、実施形態に示される構成要素のすべてが、本開示の必須の構成要素であるとは限らない。
【００１５】
図１は、レシピ投稿支援システム１００の構成図である。図１を参照して、レシピ投稿支援システム１００の概要および構成について説明する。
【００１６】
レシピ投稿支援システム１００は、サーバ装置１０１と、投稿者端末２０１−１〜２０１−ｎ（ｎは１より大きい自然数。）と、閲覧者端末３０１−１〜３０１−ｎと、を備え、ネットワークＮＷを介して通信可能に接続される。ネットワークＮＷは、ＷＡＮ（World Area Network）、ＬＡＮ（Local Area Network）等から構成される。なお、以下では、特に個々を区別する必要がない場合、投稿者端末２０１−１〜２０１−ｎおよび閲覧者端末３０１−１〜３０１−ｎは、投稿者端末２０１および閲覧者端末３０１と記載する。
【００１７】
（レシピ投稿支援システム１００の概要）
レシピ投稿支援システム１００は、ネットワークＮＷを介して投稿者がサーバ装置１０１に投稿するレシピ情報の作成を容易にするシステムである。具体的には、投稿者は調理した料理のレシピ情報を作成する際、当該料理を撮影した料理画像をサーバ装置１０１に送信する。サーバ装置は、受信した料理画像に映る料理を識別し、識別した料理に関連するレシピ情報を投稿者端末２０１に送信する。投稿者は受信したレシピ情報に基づいて、自身が調理した料理のレシピ情報を容易に作成することができる。
【００１８】
（サーバ装置１０１の構成）
サーバ装置１０１は、レシピ投稿支援サーバに相当し、通信部１１０と、記憶部１２０と、制御部１３０と、を備える。
【００１９】
通信部１１０は、投稿者端末２０１および閲覧者端末３０１とネットワークＮＷを介して通信を行うための通信インターフェイスである。例えば、通信部１１０は、投稿者端末２０１からレシピ情報を受信したり、閲覧者端末３０１にレシピ情報を配信したりする。
【００２０】
記憶部１２０は、レシピデータベース１２１を有し、レシピ情報を記憶する。レシピ情報は、例えば、調理後の料理や調理の様子を撮影した画像である料理画像、および／または調理手順や食材、調理器具等を含む料理に関する情報である。なお、本実施形態において、「画像」は、静止画および動画の概念を含み、料理画像は、料理を撮影した写真（料理写真）や調理の様子を撮影した動画（調理動画）である。
【００２１】
レシピ情報は、投稿者端末２０１から投稿されたレシピ情報（以下、投稿レシピと記載する場合がある。）を含む。また、レシピ情報は、投稿者端末２０１や閲覧者端末３０１によって付加されたコメントや写真、修正された文章などを含んでもよく、投稿者や閲覧者が編集可能な構成となっていてもよい。
【００２２】
レシピデータベース１２１は、レシピ情報を管理するデータベースである。レシピ情報は、当該レシピ情報が示す料理名、利用される食材、調理器具、料理の種類等がそれぞれ関連付けられており、料理名等からレシピ情報が検索できるように構成されている。
【００２３】
また、レシピデータベース１２１は、投稿者が過去に投稿した投稿レシピの履歴を記憶している。投稿レシピの履歴から、投稿者が過去にどのようなレシピ情報を作成したかが分かり、投稿者が調理する料理の傾向や好みを推定することができる。
【００２４】
制御部１３０は、料理識別部として機能し、投稿者端末２０１から受信した料理画像から、撮影されている料理を識別する。例えば、料理画像を所定の単位領域で切り出し、単位領域内にあるオブジェクトの輪郭等の特徴量を抽出する。特徴量と料理名とが予め関連付けられたデータベース（不図示）を用いて、抽出した特徴量と関連付けられた料理名を検索する。また、予め料理のテンプレート画像を用意しておき、テンプレート画像と料理画像とを比較することで、料理名を検索するようにしてもよい。料理の識別方法は、これに限定されることなく、周知の画像認識技術を適用することができる。なお、料理名や、食材の組み合わせなど、料理が識別できれば、どのような形式で決定されてもよい。
【００２５】
また、制御部１３０は、料理を識別する際に、上述のように検索された料理名を料理候補として推定し、投稿者端末２０１に送信するように通信部１１０を制御してもよい。投稿者は受信した料理候補について、自身が調理した料理と合致するもの、または近いものを選択してサーバ装置１０１に送信する。制御部１３０は、投稿者端末２０１から送信された情報に基づいて、推定した料理候補から料理画像に映る料理を識別するようにしてもよい。
【００２６】
また、制御部１３０は、レシピ情報取得部として機能し、上述のように識別された料理に関連するレシピ情報を、レシピデータベース１２１に記憶されたレシピ情報の中から検索して取得する。例えば、識別された料理の料理名やその料理の種類と関連付けられているレシピ情報を検索する。
【００２７】
また、制御部１３０は、投稿レシピ履歴取得部として機能し、料理画像を送信してきた投稿者の投稿レシピの履歴をレシピデータベース１２１から取得してもよい。そして、投稿レシピの履歴に基づいて、投稿者が調理する料理の好みや、投稿者がまだ投稿したことのない料理を抽出する。制御部１３０は、識別された料理に関連するレシピ情報として検索されたレシピ情報のうち、抽出した料理に関連するレシピ情報を取得するようにしてもよい。
【００２８】
そして、制御部１３０は、取得したレシピ情報を、当該料理画像を送信した投稿者端末２０１に送信するように通信部１１０を制御する。投稿者は、サーバ装置１０１から送信されたレシピ情報に基づいて、自身が調理した料理のレシピ情報を作成することができる。
【００２９】
サーバ装置１０１から送信されたレシピ情報は、投稿者が送信した料理画像から識別された料理に関連付けられたレシピ情報であるから、投稿者が調理した料理と調理手順や調理材料、食材等が似ている可能性が高い。このため、送信されたレシピ情報を投稿レシピの雛型として自身の調理手順等と異なる箇所について加筆や修正をすることで、自身の調理した料理のレシピ情報を簡単に作成することができる。すなわち、投稿者は自身の記憶に基づいてレシピ情報すべてを作成するよりも、気軽に投稿レシピを作成することができる。
【００３０】
（投稿者端末２０１および閲覧者端末３０１の構成）
投稿者端末２０１および閲覧者端末３０１は、例えば、パーソナルコンピュータ、タブレット端末、スマートフォン等の通信機能を有する端末装置である。本実施形態では、投稿者端末２０１は、レシピ情報を投稿する投稿者によって使用され、閲覧者端末３０１は、サーバ装置１０１から配信される情報を閲覧する閲覧者によって使用される。しかしながら、投稿者および閲覧者は同一の者であってもよく、投稿者端末２０１および閲覧者端末３０１は同一構成の端末であってもよい。
【００３１】
投稿者端末２０１は、端末操作部２１０と、端末通信部２１１と、端末撮像部２１２と、端末制御部２１３と、を備える。
【００３２】
端末操作部２１０は、例えば、キーボードやタッチパネル、音声入力のためのマイクなど、投稿者が投稿者端末２０１に指示を与えるための入力インターフェイスである。
【００３３】
端末通信部２１１は、サーバ装置１０１とネットワークＮＷを介して通信を行うための通信インターフェイスである。
【００３４】
端末撮像部２１２は、料理画像取得部として機能するカメラ等であって、調理された料理や調理の様子を撮影する。
【００３５】
端末制御部２１３は、投稿者端末２０１全体を制御する。例えば、端末制御部２１３は、端末撮像部２１２が撮影した料理画像をサーバ装置１０１に送信するように端末通信部２１１を制御する。また、投稿者が端末操作部２１０を介して作成した投稿レシピをサーバ装置１０１に送信するように端末通信部２１１を制御する。
【００３６】
（レシピ投稿支援システム１００における処理の流れ）
図２は、レシピ投稿支援システム１００における処理の流れを示すシーケンス図である。図２を参照して、レシピ投稿支援システム１００の処理について説明する。
【００３７】
ステップＳ２０１において、投稿者端末２０１の端末撮像部２１２は、投稿者の端末操作部２１０を介した指示により、調理した料理を撮影する。
【００３８】
ステップＳ２０２において、端末制御部２１３は、ステップＳ２０１において撮影された料理画像をサーバ装置１０１に送信するように端末通信部２１１を制御する。
【００３９】
ステップＳ２０３において、サーバ装置１０１の制御部１３０は、送信された料理画像に映る料理を識別する。この処理については、図３において詳述する。
【００４０】
ステップＳ２０４において、サーバ装置１０１の制御部１３０は、識別された料理に関連するレシピ情報についてレシピデータベース１２１で検索する。
【００４１】
ステップＳ２０５において、サーバ装置１０１の制御部１３０は、ステップＳ２０４において検索して取得したレシピ情報を、ステップＳ２０２で料理画像を送信した投稿者端末２０１に送信するように通信部１１０を制御する。
【００４２】
ステップＳ２０６において、投稿者端末２０１の端末制御部２１３は、受信したレシピ情報を表示部（不図示）に表示させ、端末操作部２１０を介した投稿者の入力を受け付ける。投稿者は受信したレシピ情報を編集し、投稿レシピを作成する。この処理については、図４〜６において詳述する。
【００４３】
ステップＳ２０７において、投稿者端末２０１の端末制御部２１３は、作成した投稿レシピをサーバ装置１０１に送信するように端末通信部２１１を制御する。
【００４４】
ステップＳ２０８において、サーバ装置１０１の制御部１３０は、送信された投稿レシピをレシピデータベース１２１に記憶させる。
【００４５】
ステップＳ２０９において、閲覧者端末３０１は、サーバ装置１０１に対して任意のレシピ情報の取得要求を行う。
【００４６】
ステップＳ２１０において、サーバ装置１０１の制御部１３０は、要求されたレシピ情報についてレシピデータベース１２１で検索を行う。
【００４７】
ステップＳ２１１において、サーバ装置１０１の制御部１３０は、検索されたレシピ情報を、取得要求を行った閲覧者端末３０１に送信するように通信部１１０を制御する。
【００４８】
ステップＳ２１２において、閲覧者端末３０１は、受信したレシピ情報を表示部（不図示）に表示させる。これにより、閲覧者はレシピ情報を閲覧することができる。
【００４９】
図３は、料理画像を識別する処理を示すフローチャートである。図３を参照して、図２のステップＳ２０３におけるサーバ装置１０１の制御部１３０が行う処理について説明する。なお、以下で説明する料理画像を識別する処理は、一例にすぎず、他の方法で料理画像を識別してもよい。
【００５０】
ステップＳ３０１において、制御部１３０は、投稿者端末２０１から料理画像を取得する。
【００５１】
ステップＳ３０２において、制御部１３０は、取得した料理画像を単位領域ごとに切り出す。
【００５２】
ステップＳ３０３において、制御部１３０は、切り出した単位領域内にあるオブジェクトの輪郭等の特徴量を抽出する。そして、特徴量と料理名とが予め関連付けられたデータベース（不図示）を用いて、抽出した特徴量と関連付けられた料理名を検索する。
【００５３】
ステップＳ３０４において、制御部１３０は、ステップＳ３０３の検索結果から料理名を決定し、料理画像の料理を識別する。
【００５４】
図４〜６は、投稿者端末２０１に送信されるレシピ情報の一例を示す図である。図４〜６を参照して、図２のステップＳ２０５において投稿者端末２０１に送信されるレシピ情報、および図２のステップＳ２０６において当該レシピ情報に基づいて作成される投稿レシピについて説明する。
【００５５】
図２で説明したように、投稿者端末２０１から送信された料理画像に基づいて、サーバ装置１０１は当該料理画像に映る料理を識別する。そして、識別した料理に関連するレシピ情報を、レシピデータベース１２１を用いて検索し、検索の結果得られたレシピ情報を投稿者端末２０１に送信する。なお、検索結果により得られるレシピ情報は複数であってもよく、本実施形態では、図４〜６で示すように、３つのレシピ情報が得られた例について説明する。
【００５６】
図４は、投稿者端末２０１に表示される画面４０を示している。図４において、画面４０は、検索結果により得られるレシピ情報のうちの一つ、すなわち、レシピ候補１として提示される「インゲンのゴマ和え」のレシピ情報であり、レシピ領域Ａ１とコメント領域Ａ６とを含む。
【００５７】
レシピ領域Ａ１は、料理画像領域Ａ２と、材料情報領域Ａ３と、調理手順領域Ａ４と、調理器具領域Ａ５から構成される。料理画像領域Ａ２には、投稿者端末２０１から送信された料理画像が表示されているが、レシピデータベース１２１に予め記憶されている画像を表示してもよい。
【００５８】
材料情報領域Ａ３、調理手順領域Ａ４、調理器具領域Ａ５には、「インゲンのゴマ和え」で用いられる材料、調理手順、調理器具が表示されている。これらは、投稿者によって、加筆したり、修正したりして編集することができる。また、各調理手順には料理画像を添付できるように構成してもよい。
【００５９】
また、コメント領域Ａ６は、投稿者が、調理のポイントや、感想なども書き込めるように構成されている。また、画像を添付してもよい。
【００６０】
図５および図６は、図４と同様に、それぞれ、投稿者端末２０１に表示される画面５０および６０を示している。画面５０はレシピ候補２として提示される「インゲンとにんじんのゴマ和え」を、画面６０はレシピ候補３として提示される「インゲンとツナのゴマ和え」のレシピ情報を示している。
【００６１】
投稿者は、サーバ装置１０１から送信されたレシピ情報（レシピ候補）のうち、自身が調理した料理に近いレシピが記載されたレシピ情報を選択する。選択したレシピ情報を参考にして、自身が調理した料理と異なる箇所を加筆したり、修正したりできる。また、そのまま利用したい箇所は、さらに入力する必要はない。これにより、自身の調理した料理のレシピ情報を容易に作成することができる。
【００６２】
（ハードウェア構成図）
図７は、サーバ装置１０１のハードウェア構成を示すブロック図である。サーバ装置１０１は、コンピュータ７０１に実装される。コンピュータ７０１は、ＣＰＵ７０２と、主記憶装置７０３と、補助記憶装置７０４と、インターフェイス７０５と、を備える。
【００６３】
サーバ装置１０１の各構成要素の動作は、プログラムの形式で補助記憶装置７０４に記憶されている。ＣＰＵ７０２は、プログラムを補助記憶装置７０４から読み出して主記憶装置７０３に展開し、当該プログラムに従って上記処理を実行する。また、ＣＰＵ７０２は、プログラムに従って、記憶領域を主記憶装置７０３に確保する。当該プログラムは、具体的には、コンピュータ７０１に、投稿レシピの作成を支援するためのレシピ投稿支援プログラムである。
【００６４】
なお、補助記憶装置７０４は、一時的でない有形の媒体の一例である。一時的でない有形の媒体の他の例としては、インターフェイス７０５を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ７０１に配信される場合、配信を受けたコンピュータ７０１が当該プログラムを主記憶装置７０３に展開し、処理を実行しても良い。
【００６５】
また、当該プログラムは、前述した機能の一部を実現するためのものであっても良い。さらに、当該プログラムは、前述した機能を補助記憶装置７０４に既に記憶されている他のプログラムとの組み合わせで実現するもの、いわゆる差分ファイル（差分プログラム）であっても良い。なお、図７に示したハードウェア構成は、投稿者端末２０１や閲覧者端末３０１も同様の構成としてもよい。投稿者端末２０１や閲覧者端末３０１の各構成要素の動作も、上述のサーバ装置１０１と同様に、補助記憶装置に記憶されたプログラムに従ったＣＰＵにより実現する。
【００６６】
（効果の説明）
本実施形態に係るレシピ投稿支援システム１００では、投稿者端末２０１から送信された料理画像に基づき、サーバ装置１０１が当該料理画像に関連するレシピ情報を投稿者端末２０１に送信する。投稿者端末２０１は、サーバ装置１０１から送信されたレシピ情報を雛型にしてレシピ情報を作成することができる。すなわち、投稿者は、サーバ装置１０１から、自身が調理した料理のレシピに近いレシピ情報を取得し、これに基づいてレシピ情報を作成することができる。これにより、レシピ情報すべてを自分で入力するよりも、容易にレシピ情報を作成することができる。
【００６７】
また、投稿者は、自身が調理した料理について、調理前からレシピ情報を作成することを意識する必要がなくなり、調理後にも気軽にレシピ情報を作成することができる。
【００６８】
また、投稿者端末２０１から送信された料理画像は、サーバ装置１０１から送信されるレシピ情報に取り込まれるため、投稿者は、レシピ投稿のために再度画像を撮影しなおす必要がなくなり、負担が軽減される。
【００６９】
また、サーバ装置１０１は、料理画像に映る料理を識別する際に、投稿者に推定される料理候補を提示する。投稿者は提示された料理候補から、自身の調理した料理に近い料理候補を選択してサーバ装置１０１に送信する。サーバ装置１０１は、投稿者の情報に基づいて料理を識別する。これにより、精度よく料理を識別することができ、投稿者はサーバ装置１０１から、自身が調理した料理により近いレシピ情報を受信することができる。
【００７０】
また、サーバ装置１０１は、投稿レシピの履歴から投稿者の調理する料理の好みを抽出し、識別された料理に関連するレシピ情報のうち投稿者の料理の好みに基づいて、レシピ情報を取得し、投稿者端末に送信する。これにより、投稿者はサーバ装置１０１から、自身が調理した料理により近いレシピ情報を受信することができる。
【００７１】
また、サーバ装置１０１は、投稿レシピの履歴に含まれない料理、すなわち投稿者がまだ投稿したことのない料理を抽出し、識別された料理に関連するレシピ情報のうち投稿者がまだ投稿していない料理のレシピ情報を取得する。これは、投稿者が過去に投稿したことのある料理より、過去に投稿したことのない料理のレシピ情報を作成する可能性が高いためである。これにより、投稿者は自身が調理した料理により近いレシピ情報を受信することができる。
【００７２】
本実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００７３】
１００  レシピ投稿支援システム、１０１  サーバ装置、１１０  通信部、１２０  記憶部、１２１  レシピデータベース、１３０  制御部、２０１  投稿者端末、２１０  端末操作部、２１１  端末通信部、２１２  端末撮像部、２１３  端末制御部、３０１  閲覧者端末、７０１  コンピュータ、７０２  ＣＰＵ、７０３  主記憶装置、７０４  補助記憶装置、７０５  インターフェイス
【図１】
2019185718.tif 000003
【図２】
2019185718.tif 000004
【図３】
2019185718.tif 000005
【図４】
2019185718.tif 000006
【図５】
2019185718.tif 000007
【図６】
2019185718.tif 000008
【図７】
2019185718.tif 000009